(57)【要約】【課題】通常よりも少ない数の電極で高分解能の脳波を取得する。【解決手段】被検者の脳波信号を取得するために被検者の頭皮上に取り付ける複数の脳波測定電極（１１０）と、複数の脳波測定電極から取得された脳波信号を用いて脳波測定電極が取り付けられている場所の脳波および脳波測定電極が取り付けられていない場所の脳波を生成する脳波生成部（１５０）と、を有する。
2016063370.tif 000002
【特許請求の範囲】
【請求項１】
被検者の脳波信号を取得するために前記被検者の頭皮上に取り付ける複数の電極と、  前記複数の電極から取得された脳波信号を用いて前記電極が取り付けられている場所の脳波および前記電極が取り付けられていない場所の脳波を生成する脳波生成部と、  を有することを特徴とする脳波測定装置。
【請求項２】
さらに、  前記被検者の脳波を生成するため、前記被検者から取得した脳波信号より生成した個人固有の係数である個人係数を記憶する個人係数記憶部を有し、  前記脳波生成部は、  前記電極が取り付けられていない場所の脳波を、前記複数の電極から取得された脳波信号と前記個人係数とを用いて生成することを特徴とする請求項１に記載の脳波測定装置。
【請求項３】
さらに、  前記被検者の脳波を生成するため、統計的に有効な母集団の不特定多数の人から取得した複数の変換係数を統計的に処理した係数である集団係数を記憶する集団係数記憶部を有し、  前記脳波生成部は、  前記電極が取り付けられていない場所の脳波を、前記複数の電極から取得された脳波信号と前記集団係数とを用いて生成することを特徴とする請求項１に記載の脳波測定装置。
【請求項４】
さらに、  前記被検者の情報を入力する被検者情報入力部と、  前記被検者の脳波を生成するため、統計的に有効な母集団の不特定多数の人から取得した係数である集団係数を記憶する集団係数記憶部と、  前記被検者の脳波を生成するため、前記被検者から取得した脳波信号より生成した個人固有の係数である個人係数を記憶する個人係数記憶部と、を有し、  前記脳波生成部は、  前記個人係数記憶部に前記被検者情報入力部から入力された前記被検者の情報に合致する個人係数があるときには、前記電極が取り付けられていない場所の脳波を、前記複数の電極から取得された脳波信号と前記個人係数とを用いて生成する一方、前記個人係数記憶部に前記被検者情報入力部から入力された前記被検者の情報に合致する個人係数がないときには、前記電極が取り付けられていない場所の脳波を、前記複数の電極から取得された脳波信号と前記集団係数とを用いて生成することを特徴とする請求項１に記載の脳波測定装置。
【請求項５】
前記脳波生成部は、  前記脳波を、特定の脳波成分に対して生成することを特徴とする請求項１に記載の脳波測定装置。
【請求項６】
前記個人係数は、  前記特定の脳波成分ごとに設けられることを特徴とする請求項５に記載の脳波測定装置。
【請求項７】
前記集団係数は、  前記特定の脳波成分ごとに設けられることを特徴とする請求項５に記載の脳波測定装置。
【請求項８】
複数の電極を被検者の頭皮上に取り付ける段階と、  前記複数の電極から前記被検者の脳波信号を取得する段階と、  前記複数の電極から取得された脳波信号を用いて前記電極が取り付けられている場所および前記電極が取り付けられていない場所の脳波を生成する段階と、  を含むことを特徴とする脳波測定方法。
【請求項９】
前記脳波を生成する段階は、  前記電極が取り付けられていない場所の脳波を、前記複数の電極から取得された脳波信号と、前記被検者の脳波を生成するため前記被検者から取得した脳波信号より生成した個人固有の係数である個人係数と、を用いて生成することを特徴とする請求項８に記載の脳波測定方法。
【請求項１０】
前記脳波を生成する段階は、  前記電極が取り付けられていない場所の脳波を、前記複数の電極から取得された脳波信号と、前記被検者の脳波を生成するため統計的に有効な母集団の不特定多数の人から取得した係数である集団係数と、を用いて生成することを特徴とする請求項９に記載の脳波測定方法。
【請求項１１】
複数の電極を被検者の頭皮上に取り付けて前記被検者の情報を入力する段階と、  前記複数の電極から前記被検者の脳波信号を取得する段階と、  前記複数の電極から取得された脳波信号を用いて前記電極が取り付けられている場所および前記電極が取り付けられていない場所の脳波を生成する段階と、を有し、  前記脳波を生成する段階は、  前記電極が取り付けられていない場所の脳波を、入力された前記被検者の情報に合致する個人係数があるときには、前記電極が取り付けられていない場所の脳波を、前記複数の電極から取得された脳波信号と前記個人係数とを用いて生成する一方、入力された前記被検者の情報に合致する個人係数がないときには、前記電極が取り付けられていない場所の脳波を、前記複数の電極から取得された脳波信号と集団係数とを用いて生成することを特徴とする請求項１０に記載の脳波測定方法。
【請求項１２】
前記脳波を生成する段階は、  前記脳波を、特定の脳波成分に対して生成することを特徴とする請求項１０または１１に記載の脳波測定装置。
【請求項１３】
前記個人係数は、  前記特定の脳波成分ごとに設けられることを特徴とする請求項１２に記載の脳波測定装置。
【請求項１４】
前記集団係数は、  前記特定の脳波成分ごとに設けられることを特徴とする請求項１２に記載の脳波測定装置。
【請求項１５】
請求項４から７のいずれかに記載の脳波測定装置が接続回線を介して複数台相互に接続された脳波測定システムであって、  被検者の個人係数を記憶する個人係数データベースが前記接続回線に接続されたクラウド上に設けられ、  各脳波測定装置の脳波生成部は、  前記脳波測定装置内の個人係数記憶部または前記クラウド上の前記個人係数データベースに被検者情報入力部から入力された前記被検者の情報に合致する個人係数があるときには、電極が取り付けられていない場所の脳波を、複数の電極から取得された脳波信号と前記個人係数記憶部または前記個人係数データベースに記憶されている前記個人係数とを用いて生成する一方、前記被検者の情報に合致する個人係数がないときには、前記電極が取り付けられていない場所の脳波を、前記複数の電極から取得された脳波信号と前記脳波測定装置内の集団係数記憶部に記憶されている前記集団係数とを用いて生成することを特徴とする脳波測定システム。
【請求項１６】
前記クラウド上に、前記個人係数データベースの個人係数を管理する個人係数管理部と、前記被検者の情報を管理する被検者ＩＤ管理部とをさらに設け、  前記個人係数管理部は、前記被検者の個人係数に関連付けられている固有ＩＤを用いて、前記個人係数データベースに個人係数を記憶させたり、前記個人係数データベースから個人係数を取り出したりでき、  前記被検者ＩＤ管理部は、前記固有ＩＤと前記被検者に対して付した被検者ＩＤとの対照表を有し、  各脳波測定装置は、前記被検者の個人情報をクラウド上で検索する際に、前記被検者ＩＤ管理部の対照表を用いて前記被検者の固有ＩＤを検索し、検索された固有ＩＤを用いて前記個人係数管理部から前記被検者の個人係数を取り出すことを特徴とする請求項１５に記載の脳波測定システム。
【請求項１７】
前記被検者ＩＤ管理部は、被検者ＩＤと固有ＩＤとの関係を示す対照表を有し、  各脳波測定装置は、被検者ＩＤから前記被検者の固有ＩＤを検索し、検索された固有ＩＤを用いて前記個人係数管理部から前記被検者の個人係数を取り出すことを特徴とする請求項１６に記載の脳波測定システム。
【請求項１８】
前記脳波生成部は、  前記脳波を、特定の脳波成分に対して生成することを特徴とする請求項１５に記載の脳波測定装置。
【請求項１９】
前記個人係数は、  前記特定の脳波成分ごとに設けられることを特徴とする請求項１８に記載の脳波測定装置。
【請求項２０】
前記集団係数は、  前記特定の脳波成分ごとに設けられることを特徴とする請求項１８に記載の脳波測定装置。
【発明の詳細な説明】
【技術分野】
【０００１】  本発明は、被検者の頭皮上に取り付けた電極を用いて、電極が取り付けられている場所の脳波の測定および電極が取り付けられていない場所の脳波の推定ができる、脳波測定装置、脳波測定方法および脳波測定システムに関する。
【背景技術】
【０００２】  脳波（ＥＥＧ）には、何もしなくとも生きているだけで発生する、デルタ波（２〜４Ｈｚ）、シータ波（４〜８Ｈｚ）、アルファ波（８〜１３Ｈｚ）、ベータ波（１３〜３０Ｈｚ）、ガンマ波（３０Ｈｚ〜）などの自発脳波と、視覚、聴覚、触覚などの外因性の刺激を受けたり、期待、注意、意思決定などの内因性の心的事象が生じたりすることにより発生する、特殊的周波数成分を持つ誘発脳波と、がある。【０００３】  最近では、ＥＥＧ（自発脳波および誘発脳波）を入力信号として利用し、ロボットや自動車などの操作を、人間の意志に応じて行えるようにするための、ＢＣＩ（ブレイン  コンピュータ  インターフェース）の開発が行われている。【０００４】  一般的に、脳波を測定する場合、下記特許文献１に示すように、被検者の頭皮上には多くの電極を取り付ける。特に、高分解能の脳波（ＨＥＥＧ）を測定する場合には、少なくとも６４個から多ければ２００個の電極を取り付けることになる。
【先行技術文献】
【特許文献】
【０００５】
【特許文献１】特開２００６−２８０４２１号公報（図２参照）
【発明の概要】
【発明が解決しようとする課題】
【０００６】  しかし、ＨＥＥＧを測定するために、被検者の頭皮上に６４個から２００個といった多数の電極を取り付けることは、ＢＣＩの実用化の障害となる。ＢＣＩを実用化させるためには、より少ない電極で高分解能の脳波を測定および推定できるようにする必要がある。【０００７】  本発明は、ＢＣＩの実用化の障害を取り払うために成されたものであり、被検者の頭皮上に取り付けた電極を用いて、電極が取り付けられている場所の脳波の測定および電極が取り付けられていない場所の脳波の推定ができ、通常よりも少ない数の電極で高分解能の脳波を取得できる、脳波測定装置、脳波測定方法および脳波測定システムの提供を目的とする。
【課題を解決するための手段】
【０００８】  上記目的を達成するための本発明にかかる脳波測定装置は、複数の電極と脳波生成部とを有する。【０００９】  複数の電極は、被検者の頭皮上に取り付けられ、被検者の脳波信号を取得する。脳波生成部は、複数の電極から取得された脳波信号を用いて電極が取り付けられている場所の脳波および電極が取り付けられていない場所の脳波を生成する。【００１０】  また、上記目的を達成するための本発明にかかる脳波測定方法は、複数の電極を被検者の頭皮上に取り付ける段階と、複数の電極から被検者の脳波信号を取得する段階と、複数の電極から取得された脳波信号を用いて電極が取り付けられている場所の脳波および電極が取り付けられていない場所の脳波を生成する段階と、を含む。【００１１】  さらに、上記目的を達成するための本発明に係る脳波測定システムは、上記の脳波測定装置が接続回線（有線または無線）を介して複数台相互に接続された脳波測定システムであって、クラウド上に設けた個人係数データベース、各脳波測定装置に設けられている脳波生成部を有する。【００１２】  個人係数データベースは、接続回線に接続されたクラウド上に設けられ、被検者の脳波を生成するため被検者から取得した脳波信号より生成した個人固有の係数である個人係数を記憶する。【００１３】  各脳波測定装置の脳波生成部は、前記脳波測定装置内の個人係数記憶部または前記クラウド上の前記個人係数データベースに被検者情報入力部から入力された前記被検者の情報に合致する個人係数があるときには、電極が取り付けられていない場所の脳波を、複数の電極から取得された脳波信号と前記個人係数記憶部または前記個人係数データベースに記憶されている前記個人係数とを用いて生成する。【００１４】  一方、前記被検者の情報に合致する個人係数がないときには、前記電極が取り付けられていない場所の脳波を、前記複数の電極から取得された脳波信号と前記脳波測定装置内の集団係数記憶部に記憶されている前記集団係数とを用いて生成する。
【発明の効果】
【００１５】  本発明にかかる脳波測定装置および脳波測定方法によれば、複数の電極から取得された脳波信号を用いて電極が取り付けられていない場所の脳波を生成することができるので、より少ない電極で高分解能の脳波が生成できるようになる。【００１６】  また、本発明にかかる脳波測定システムによれば、個人係数または集団係数を用いて電極が取り付けられていない場所の脳波を生成することができるので、より少ない電極で高分解能の脳波が生成できるようになる。【００１７】  その結果、ＢＣＩの実用化に大きく貢献できるようになる。
【図面の簡単な説明】
【００１８】
【図１】本実施形態にかかる脳波測定装置のブロック図である。
【図２】本実施形態にかかる脳波測定方法のフローチャートである。
【図３】個人係数の取得手順を示すフローチャートである。
【図４】脳波の生成の説明に供する図である。
【図５】生成された脳波の一例を示す図である。
【図６】生成された脳波の一例を示す図である。
【図７】生成された脳波の一例を示す図である。
【図８】生成された脳波の一例を示す図である。
【図９】本実施形態にかかる脳波測定システムのブロック図である。
【図１０】脳波測定システムにおける脳波測定装置のブロック図である。
【図１１】脳波測定システムにおける個人係数管理部のブロック図である。
【図１２】脳波測定システムにおける被検者ＩＤ管理部のブロック図である。
【図１３】本実施形態に係る脳波測定システムの処理を示すメインフローチャートである。
【図１４】図１３のメインフローチャートのステップＳ３２０（被検者ＩＤ/被検者名照合）のサブルーチンフローチャートである。
【図１５】図１３のメインフローチャートのステップＳ３４０（個人係数検索）のサブルーチンフローチャートである。
【図１６】図１３のメインフローチャートのステップＳ３７０（集団係数検索）のサブルーチンフローチャートである。
【図１７】被検者の個人係数を生成し、生成した個人係数を個人係数データベースに記憶させるまでの処理を示すメインフローチャートである。
【図１８】図１７のメインフローチャートのステップＳ４２０（個人係数を生成）の処理を示すサブルーチンフローチャートである。
【図１９】図１７のメインフローチャートのステップＳ４３０（生成した個人係数をデータベースに登録）の処理を示すサブルーチンフローチャートである。
【図２０】図１９のサブルーチンフローチャートのステップＳ５００（脳波測定装置の個人係数記憶部に登録）の処理を示すサブルーチンフローチャートである。
【図２１】図１９のサブルーチンフローチャートのステップＳ５１０（脳波測定システムの個人係数データベースに登録）の処理を示すサブルーチンフローチャートである。
【発明を実施するための形態】
【００１９】  以下に、本発明の実施形態かかる脳波測定装置および脳波測定方法を図面に基づいて詳細に説明する。図１は、本実施形態にかかる脳波測定装置のブロック図である。
【００２０】  （脳波測定装置の構成）  脳波測定装置１００は、脳波測定電極１１０、被検者情報入力部１２０、個人係数記憶部１３０、集団係数記憶部１４０、脳波生成部１５０および脳波出力部１６０を有する。
【００２１】  脳波測定電極（電極）１１０は、被検者の脳波信号を取得するために被検者の頭皮上に取り付ける。脳波測定電極１１０は、たとえば、国際１０−２０法を用いる場合、被検者を頭上から見ている図４に示す○印の場所（たとえば、Ｆ７、Ｃｚ、Ｐ４など）のいずれかの複数の場所に取り付ける。
【００２２】  被検者情報入力部１２０は、被検者の情報を入力する。被検者の情報は、被検者ＩＤ、被検者性別、被検者年齢、被検者氏名、保健番号などの個人情報である。個人情報としては、これら以外に、住所などを用いても良い。被検者の情報は、次に説明する個人係数および集団係数の特定に使用する。
【００２３】  個人係数記憶部１３０は、被検者の脳波を生成するため、被検者から取得した脳波信号より生成した個人固有の係数である個人係数、または、各脳波成分より生成した個人固有の係数である個人係数、を記憶する。個人係数は、被検者ごとに、または、同被検者の脳波の脳波成分ごとに記憶される。
【００２４】  個人係数は、被検者情報入力部１２０から入力された、被検者の個人情報を用いて特定される。また、脳波成分とは、自発脳波のうちの、デルタ波（２〜４Ｈｚ）、シータ波（４〜８Ｈｚ）、アルファ波（８〜１３Ｈｚ）、ベータ波（１３〜３０Ｈｚ）、ガンマ波（３０Ｈｚ〜）、誘発脳波のうちの、視覚、聴覚、触覚などの外因性の刺激を受けたり、期待、注意、意思決定などの内因性の心的事象が生じたりすることにより発生する、特殊的周波数成分をいう。
【００２５】  したがって、たとえば、個人係数は、被検者Ａのアルファ波、被検者Ｂの特殊的周波成分というように、被検者ごとにおよび同被検者の脳波成分ごとに記憶される。個人係数は、被検者の個人情報、すなわち、被検者ＩＤ、被検者性別、被検者年齢、被検者氏名、保険番号と関連付けられて記憶される。したがって、被検者情報入力部１２０から被検者の情報を入力することで、個人情報記憶部１３０から、その被検者の個人情報を取得することができる。
【００２６】  個人係数とは、被検者に取り付けた脳波測定電極１１０で実際に測定された脳波信号を用いて、脳波測定電極１１０が取り付けられていない場所の脳波を生成するための変換係数である。
【００２７】  下記の数１のマトリクスに示してあるように、脳波測定電極１１０で実際に測定された脳波信号を測定誘導ベクトルＡ（ａ１、ａ２、ａ３、…、ａｎ）とし、個人係数を変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ）とし、脳波測定電極１１０が取り付けられていない場所の脳波信号を生成誘導ベクトルＣ（ｃ１、ｃ２、ｃ３、…、ｃｎ）とする。ただし、ｎは脳波測定電極１１０の総数である。一般性を失わないように、測定誘導と生成誘導との両方が式１のＡとＢに入っている。そのため、測定誘導をｉとすると、ｃｉ≡０、生成誘導（非測定誘導）をｊとすると、ａｊ≡０となる。
【００２８】  脳波測定電極１１０が取り付けられていない場所の脳波信号、生成誘導ベクトルＣ（ｃ１、ｃ２、ｃ３、…、ｃｎ）は、測定誘導ベクトルＡ（ａ１、ａ２、ａ３、…、ａｎ）に変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ）を掛け合わせることによって生成できる。このように、変換係数Ｂを用いることで、脳波測定電極１１０が取り付けられていない場所の脳波を生成することができる。
【００２９】
【数１】
2016063370.tif 000003
【００３０】  なお、個人係数は、被検者ごとにおよび同被検者の脳波成分ごとに取得する必要がある。個人係数の取得手順については、図３のフローチャートを用いて後で詳しく説明する。
【００３１】  集団係数記憶部１４０は、被検者の脳波を生成するため、統計的に有効な母集団の不特定多数の人から取得した複数の個人係数を統計的に処理した値を集団係数として記憶する。集団係数は、被検者の個人係数がない場合に用いられる変換係数である。集団係数は、不特定多数の人からなる母集団全体から得られた集団係数、および、性別、年齢ごとに分けた、不特定多数の人から得られた性別、年齢ごとの集団係数、さらに、これらの集団係数は、脳波全体の集団係数、または、脳波成分ごとの集団係数として記憶されている。
【００３２】  脳波生成部１５０は、複数の脳波測定電極１１０から取得された脳波信号を用いて脳波測定電極１１０が取り付けられている場所の脳波および脳波測定電極１１０が取り付けられていない場所の脳波を生成する。
【００３３】  具体的には、脳波生成部１５０は、個人係数記憶部１３０に被検者情報入力部１２０から入力された被検者の情報に合致する個人係数があるときには、脳波測定電極１１０が取り付けられていない場所の脳波を、複数の脳波測定電極１１０から取得された脳波信号と個人係数記憶部１３０に記憶されている個人係数とを用いて生成する。
【００３４】  一方、脳波生成部１５０は、個人係数記憶部１３０に被検者情報入力部１２０から入力された被検者の情報に合致する個人係数がないときには、脳波測定電極１１０が取り付けられていない場所の脳波を、複数の脳波測定電極１１０から取得された脳波信号と集団係数記憶部１４０に記憶されている集団係数とを用いて生成する。
【００３５】  脳波生成部１５０は、被検者の脳波を生成する。また、必要に応じて、脳波信号を処理し、脳波成分を生成する。
【００３６】  脳波出力部１６０は、脳波生成部１５０で生成された脳波を出力する。脳波出力部１６０は、生成した全ての場所（脳波生成部１５０が生成した全ての場所）の脳波または指定する一部の場所（脳波生成部１５０が生成した場所の内の一部の場所）の脳波を選択的に出力することができる。脳波出力部１６０は、脳波をデータとして他の情報処理装置に出力する機能、脳波を波形としてプリントアウトする機能、脳波を波形としてディスプレイに表示する機能の少なくともいずれか１つの機能を有する。
【００３７】  （脳波測定装置の動作）  図２は、本実施形態にかかる脳波測定方法のフローチャートである。図２のフローチャートは、図１に示した脳波測定装置１００の動作を示すフローチャートでもある。
【００３８】  脳波を測定する場合には、まず、被検者に脳波測定電極１１０を装着する（Ｓ１００）。脳波測定電極１１０は、図４に示すように、被検者の頭皮上に必要とされる数だけ取り付ける。本実施形態では、図４のＴ３、Ｔ４、Ｃｚ、Ｏｚで示される４つの場所に取り付けている。
【００３９】  次に、被検者情報入力部１２０から被検者の情報を入力する（Ｓ１１０）。被検者の情報は、被検者ＩＤ、被検者性別、被検者年齢、被検者氏名、保健番号などの個人情報である。
【００４０】  脳波生成部１５０は、脳波の測定を開始する（Ｓ１２０）。
【００４１】  脳波生成部１５０は、図４のＴ３、Ｔ４、Ｃｚ、Ｏｚで示される４つの場所に取り付けた脳波測定電極１１０から脳波信号を取得し、一定時間に亘って、取得した脳波信号を記憶する（Ｓ１３０）。
【００４２】  脳波生成部１５０は、被検者情報入力部１２０から入力された個人情報を用いて、個人係数記憶部１３０に被検者の個人係数が有るか否かを判断する（Ｓ１４０）。被検者の個人情報が有るときには（Ｓ１４０：ＹＥＳ）、被検者の個人係数を用いて脳波を生成する（Ｓ１５０）。一方、脳波生成部１５０は、被検者の個人情報がないときには（Ｓ１４０：ＮＯ）、集団係数記憶部１４０に記憶されている、被検者性別、被検者年齢に合致した集団係数を用いて脳波を生成する（Ｓ１６０）。また、脳波は操作者によって指定された脳波成分（１つでも複数でも良い）に対して生成される。
【００４３】  脳波生成部１５０が生成した脳波は、脳波出力部１６０によって出力される（Ｓ１７０）。
【００４４】  脳波測定装置１００は、以上のような手順で、被検者の脳波を生成する。ＢＣＩを実用化する場合、被検者に取り付ける電極の数はできるだけ少なくし、その反面、できるだけ多くの場所の脳波を取得できるようにすることが好ましい。どの程度の数の脳波測定電極でどの程度の数の場所の脳波が精度よく得られるかは、今後の研究に依るところではある。しかし、集団係数および個人係数を用いて、少ない脳波測定電極で高分解能の脳波が得られるようにするという思想は、本発明の脳波測定装置によって初めて採用される。
【００４５】  図３は、個人係数の取得手順を示すフローチャートである。図４は、脳波の生成の説明に供する図である。
【００４６】  個人係数を取得する場合には、まず、被検者に脳波測定電極１１０を装着する（Ｓ２００）。脳波測定電極１１０は、図４に示す、脳波を取得したい、被検者の頭皮上の必要な全ての場所に取り付ける。具体的には、図４のような国際１０−２０法を用いて取り付ける場合、ＦＰ１、ＦＰ２、Ｆ７、Ｆ３、Ｆｚ、Ｆ４、Ｆ８、Ｔ３、Ｃ３、Ｃｚ、Ｃ４、Ｔ４、Ｐ３、Ｐｚ、Ｐ４、Ｔ５、Ｏ１、Ｏ３、Ｏｚ、Ｏ４、Ｏ２、Ｔ６の２２か所に取り付ける。また、ＨＥＥＧを用いる場合であれば、たとえば、６４か所から２００か所の間の数の脳波測定電極１１０を取り付ける。
【００４７】  被検者情報入力部１２０は、被検者ＩＤ、被検者性別、被検者年齢、被検者氏名、保健番号などの被検者の情報を入力する。
【００４８】  脳波生成部１５０は、脳波の測定を開始する（Ｓ２２０）。
【００４９】  脳波生成部１５０は、国際１０−２０法を用いる場合、図４に示す、被検者の頭皮上の２２か所（生成元である測定誘導ベクトルＡと生成先である生成誘導ベクトルＣ）に取り付けた脳波測定電極１１０から脳波信号を取得し、一定時間に亘って、取得した脳波信号を記憶する（Ｓ２３０）。
【００５０】  脳波生成部１５０は、取得した全ての箇所の脳波信号から、脳波、または、脳波成分ごとに変換係数の値を生成する（Ｓ２４０）。
【００５１】  上記の数１のマトリクスで示したように、脳波測定電極１１０で実際に測定された脳波信号を測定誘導ベクトルＡ（ａ１、ａ２、ａ３、…、ａｎ）とし、個人係数を変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ）とし、脳波測定電極１１０が取り付けられていない場所の脳波信号を生成誘導ベクトルＣ（ｃ１、ｃ２、ｃ３、…、ｃｎ）とすると、生成誘導ベクトルＣは測定誘導ベクトルＡと変換係数Ｂとを掛け合わせることによって求めることができる。ただし、ｎは脳波測定電極１１０の総数である。一般性を失わないように、測定誘導と生成誘導との両方が式１のＡとＢに入っている。そのため、測定誘導をｉとすると、ｃｉ≡０、生成誘導（非測定誘導）をｊとすると、ａｊ≡０となる。
【００５２】  このため、個人係数である変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ）を求める場合には、被検者に取り付けた脳波測定電極１１０を用いて、生成元である測定誘導ベクトルＡ（ａ１、ａ２、ａ３、…、ａｎ）の脳波信号と生成先である生成誘導ベクトルＣ（ｃ１、ｃ２、ｃ３、…、ｃｎ）の脳波信号を経時的に実測する。
【００５３】  実測した生成元である測定誘導ベクトルＡ（ａ１、ａ２、ａ３、…、ａｎ）の脳波信号と生成先である生成誘導ベクトルＣ（ｃ１、ｃ２、ｃ３、…、ｃｎ）の脳波信号を数１のマトリクスに時系列に代入して連立方程式を作成し、変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ）を求める。求めた変換係数は、被検者の個人係数となる。
【００５４】  具体的には、変換係数は、たとえば、図４に示す２２か所の脳波測定電極１１０が取得した脳波信号とＣｚの場所の脳波測定電極１１０が取得した脳波信号との関係、２２か所の脳波測定電極１１０が取得した脳波信号とＣ４の場所の脳波測定電極１１０が取得した脳波信号との関係などである。
【００５５】  このように、被検者に固有の変換係数Ｂは、特定の脳波測定電極１１０が取得した脳波とその他の全ての脳波測定電極１１０が取得した脳波との関係を求めることによって得られる。
【００５６】  脳波生成部１５０は、算出した変換係数Ｂの値から、脳波、または、脳波成分ごとに、被検者の個人係数を求める（Ｓ２５０）。なお、個人係数は、記録される生の波形より生成したものでも、各脳波成分に対して求めたものでも、脳波を生成するための精度はそれほど変わらないとされる。各脳波成分の脳波とは、デルタ波（２〜４Ｈｚ）、シータ波（４〜８Ｈｚ）、アルファ波（８〜１３Ｈｚ）、ベータ波（１３〜３０Ｈｚ）、ガンマ波（３０Ｈｚ〜）などの自発脳波、または、視覚、聴覚、触覚などの外因性の刺激を受けたり、期待、注意、意思決定などの内因性の心的事象が生じたりすることにより発生する、特殊的周波数成分を持つ脳波である。
【００５７】  図５から図８は、本実施形態の脳波測定装置１００により生成された脳波の一例を示す図である。
【００５８】  図５は、脳波生成例１を示す。脳波（実測脳波）は、脳波測定電極１１０を図４の０１（ゼロ１）の場所、と同図のＴ３、Ｔ４、Ｃｚ、Ｏｚの４か所に取り付けて測定する。測定された生の脳波は、バンドパスフィルター（０．５〜４０Ｈｚ）で予備処理されて、雑音が取り除かれる。まず、予備処理された脳波に対して、ある時間帯において、０１とＴ３、Ｔ４、Ｃｚ、Ｏｚの４か所の脳波から、０１の場所の脳波を生成するための個人係数を演算で求めておく。また、このように求めた個人係数を用いて、その個人係数を求めた時とは異なる時間帯において、Ｔ３、Ｔ４、Ｃｚ、Ｏｚの４か所の脳波から、０１の場所の脳波を生成する。図５の上段は０１の場所の測定波形、中段は上記個人係数を用いて生成した脳波、下段は実測脳波と生成脳波との差分をそれぞれ示したグラフである。
【００５９】  図５を見ると、実測脳波と生成脳波とは非常に類似していることがわかる。誤差を見ても、ほぼ０である。このグラフから、脳波測定装置１００は、脳波測定電極１１０が取り付けられていない場所の脳波を非常に正確に生成できることがわかる。
【００６０】  図６は、脳波生成例２を示す。脳波（実測脳波）は、脳波測定電極１１０を図４の０１（ゼロ１）の場所、と同図のＴ３、Ｔ４、Ｃｚ、Ｏｚの４か所に取り付けて測定する。測定された生の脳波は、アルファ帯域（８〜１３Ｈｚ）のバンドパスフィルターで予備処理され、アルファ波成分が抽出される。アルファ波成分の脳波に対して、まず、ある時間帯において、０１とＴ３、Ｔ４、Ｃｚ、Ｏｚの４か所のアルファ波成分の脳波から、０１の場所のアルファ波成分の脳波を生成するための個人係数を演算で求めておく。また、このように求めた個人係数を用いて、その個人係数を求めた時とは異なる時間帯において、Ｔ３、Ｔ４、Ｃｚ、Ｏｚの４か所のアルファ波成分の脳波から、０１の場所のアルファ波成分の脳波を生成する。図６の上段はアルファ波、中段は個人係数を用いて生成したアルファ波、下段は実測したアルファ波と生成したアルファ波との差分をそれぞれ示したグラフである。
【００６１】  図６を見ると、実測アルファ脳波と生成アルファ波とは非常に類似していることがわかる。誤差を見ても、ほぼ０である。このグラフから、脳波測定装置１００は、脳波測定電極１１０が取り付けられていない場所の脳波を非常に正確に生成できることがわかる。
【００６２】  図７は、脳波生成例３を示す。脳波（実測脳波）は、脳波測定電極１１０を図４の０１（ゼロ１）の場所、と同図のＴ３、Ｔ４、Ｃｚ、Ｏｚの４か所に取り付けて測定する。測定された生の脳波は、ベータ帯域（１４〜３０Ｈｚ）のバンドパスフィルターで予備処理され、アルファ波成分が抽出される。ベータ波成分の脳波に対して、まず、ある時間帯において、０１とＴ３、Ｔ４、Ｃｚ、Ｏｚの４か所のアルファ波成分の脳波から、０１の場所のベータ波成分の脳波を生成するための個人係数を演算で求めておく。また、このように求めた個人係数を用いて、その個人係数を求めた時とは異なる時間帯において、Ｔ３、Ｔ４、Ｃｚ、Ｏｚの４か所のアルファ波成分の脳波から、０１の場所のベータ波成分の脳波を生成する。図６の上段はベータ波、中段は個人係数を用いて生成したベータ波、下段は実測したベータ波と生成したベータ波との差分をそれぞれ示したグラフである。
【００６３】  図７を見ると、実測ベータ波と生成ベータ波とは非常に類似していることがわかる。誤差を見ても、ほぼ０である。このグラフから、脳波測定装置１００は、脳波測定電極１１０が取り付けられていない場所の脳波を非常に正確に生成できることがわかる。
【００６４】  図８は、脳波生成例４を示す。脳波（実測脳波）は、脳波測定電極１１０を図４の０１（ゼロ１）の場所、と同図のＴ３、Ｔ４、Ｃｚ、Ｏｚの４か所に取り付けて測定する。測定された生の脳波は、バンドパスフィルター（０．５〜４０Ｈｚ）で予備処理されて、雑音が取り除かれる。予備処理された脳波に対して、他人の個人係数を用いて、Ｔ３、Ｔ４、Ｃｚ、Ｏｚの４か所の脳波から、０１の場所の脳波を生成する。図５の上段は０１の場所の測定波形、中段は上記他人の個人係数を用いて生成した脳波と、下段は実測脳波と生成脳波との差分をそれぞれ示したグラフである。
【００６５】  図８は自分自身の個人係数ではなく、他人の個人係数を用い、０１の場所の脳波を生成する点で図５とは異なる。図８を見ると、実測脳波と生成脳波とは非常に類似していることがわかる。誤差は少ないが、波高は図５より少々高く見える。他人の個人係数を用いることは、集団係数を求める母集団に１個のサンプルしかない極端なケースであるが、それでも、生成される脳波の精度は高い。このグラフから、脳波測定装置１００は、脳波測定電極１１０が取り付けられていない場所の脳波を非常に正確に生成できることがわかる。
【００６６】  以上のように、本実施形態に係る脳波測定装置および脳波測定方法によれば、被検者に実際に脳波測定電極１１０を取り付けた場所の脳波から実際には脳波測定電極１１０が取り付けられていない場所の脳波を高精度に生成することができる。
【００６７】  このため、本実施形態に係る脳波測定装置および脳波測定方法によれば、より少ない電極で高分解能の脳波を測定できるようになり、ＢＣＩの実用化に大きく寄与することができる。
【００６８】  次に、本発明の実施形態にかかる脳波測定システムを図面に基づいて詳細に説明する。図９は、本実施形態にかかる脳波測定システムのブロック図である。
【００６９】  （脳波測定システムの構成）  本実施形態にかかる脳波測定システム３００は、脳波測定装置２００、２００Ａ、２００Ｂ、クラウド３１０上に設けられた、個人係数データベース３３０Ｃ、個人係数管理部３５０Ｃ、被検者ＩＤ管理部３９０Ｃを有する。脳波測定装置２００、２００Ａ、２００Ｂは、接続回線３２０、３２０Ａ、３２０Ｂ（有線または無線）を介してクラウド３１０に接続される。脳波測定装置は本実施形態では３台であるが、実際には不特定な測定場所に不特定な数設けることができる。
【００７０】  脳波測定装置２００、２００Ａ、２００Ｂは、図１に示した脳波測定装置１００と比較すると、クラウド３１０と通信するための機能、クラウド３１０上にある被検者の個人係数を検索する機能、被検者の個人係数を求めてクラウド３１０上に記憶させる機能を備えている点が異なる。脳波測定装置２００、２００Ａ、２００Ｂは、これらの機能を発揮させるためのプログラムが組み込まれている。なお、脳波測定装置２００、２００Ａ、２００Ｂの詳細な構成については後述する。
【００７１】  クラウド３１０は、クラウド事業者が提供するデータセンターである。データセンターには、個人係数データベース３３０Ｃ、個人係数管理部３５０Ｃ、被検者ＩＤ管理部３９０Ｃを設けている。本実施形態では、クラウド３１０上に個人係数管理部３５０Ｃと被検者ＩＤ管理部３９０Ｃを設けているが、これらはクラウド３１０外に設けても良い。
【００７２】  接続回線（有線または無線）３２０、３２０Ａ、３２０Ｂは、脳波測定装置２００、２００Ａ、２００Ｂをクラウド３１０に接続する。接続回線３２０、３２０Ａ、３２０Ｂは、脳波測定装置２００、２００Ａ、２００Ｂとクラウド３１０とを接続する有線または無線の専用回線であっても良いし、セキュリティー対策を講じた有線または無線のインターネット回線であっても良い。
【００７３】  個人係数データベース３３０Ｃは、クラウド３１０に接続される全ての脳波測定装置２００、２００Ａ、２００Ｂが生成した全被検者の個人係数を記憶する。個人係数は、各被検者に対して世界で１つだけ与えられる固有ＩＤと関連付けて記憶される。全ての脳波測定装置２００、２００Ａ、２００Ｂは個人係数データベース３３０Ｃにアクセスできるようにする。全ての脳波測定装置２００、２００Ａ、２００Ｂは、生成した個人係数を個人係数データベース３３０Ｃに記憶させることも、個人係数データベース３３０Ｃに記憶されている個人係数を参照することもできるようにする。
【００７４】  個人係数管理部３５０Ｃは、全ての脳波測定装置２００、２００Ａ、２００Ｂの個人係数データベース３３０Ｃへのアクセスを管理する。個人係数管理部３５０Ｃの詳細な構成および動作は後述する。
【００７５】  被検者ＩＤ管理部３９０Ｃは、不特定な測定場所に置かれる脳波測定装置２００、２００Ａ、２００Ｂが特定の被検者の個人係数を検索するときに、各脳波測定装置２００、２００Ａ、２００Ｂが同一の被検者に対して付した異なる被検者ＩＤを、それぞれの脳波測定装置２００、２００Ａ、２００Ｂの被検者ＩＤに変換する機能を備えている。例えば、同一被検者に対して脳波測定装置２００では「Ａ１２３」という被検者ＩＤが付され、脳波測定装置２００Ａでは「Ｂ４５６」という被検者ＩＤが付されていた場合に、「Ａ１２３」の被検者ＩＤを「Ｂ４５６」に、「Ｂ４５６」の被検者ＩＤを「Ａ１２３」に相互に変換する。脳波測定装置間における被検者ＩＤの変換には固有ＩＤを用いる。固有ＩＤは、その被検者に対して世界に１つだけ与えられるＩＤである。このＩＤは世界中のどの脳波測定装置でも共通に使用できるその被検者に固有のものであり、同一の被検者に対して二重登録はできないようになっている。被検者ＩＤ管理部３９０Ｃは、固有ＩＤと被検者ＩＤの対照表を持っており、その対照表は脳波測定装置２００、２００Ａ、２００Ｂからの要求によって常に更新されている。
【００７６】  図１０は、脳波測定システム３００における脳波測定装置２００のブロック図である。
【００７７】  ［脳波測定装置の構成］  脳波測定装置２００は、脳波測定電極２１０、被検者情報入力部２２０、個人係数記憶部２３０、集団係数記憶部２４０、脳波生成部２５０、脳波表示部２６０、被検者情報記憶部２７０および通信部２８０を有する。
【００７８】  脳波測定装置２００の、脳波測定電極２１０、被検者情報入力部２２０、個人係数記憶部２３０、集団係数記憶部２４０、脳波生成部２５０は、図１に示した、脳波測定装置１００の、脳波測定電極１１０、被検者情報入力部１２０、個人係数記憶部１３０、集団係数記憶部１４０、脳波生成部１５０と同一である。
【００７９】  被検者情報記憶部２７０は、被検者情報入力部２２０によって入力された被検者の情報を記憶する。被検者の情報は、被検者ＩＤ、被検者性別、被検者年齢、被検者氏名、保健番号などの個人情報である。
【００８０】  通信部２８０は、接続回線（有線または無線）３２０を介してクラウド３１０と通信する。
【００８１】  図１１は、脳波測定システム３００における個人係数管理部３５０Ｃのブロック図である。
【００８２】  ［個人係数管理部の構成］  個人係数管理部３５０Ｃは、個人係数データベース３３０Ｃ、被検者情報記憶部３５３Ｃ、個人係数制御部３５４Ｃ、通信部３５５Ｃを有する。
【００８３】  個人係数データベース３３０Ｃは、脳波測定装置２００、２００Ａ、２００Ｂの個人係数記憶部（脳波測定装置２００では個人係数記憶部２３０）に記憶されている個人係数と同一の個人係数を記憶する。個人係数データベース３３０Ｃは、クラウド３１０に接続されている全ての脳波測定装置２００、２００Ａ、２００Ｂの個人係数のすべてを一括して記憶する。個人係数データベース３３０Ｃに記憶されている個人係数は被検者の固有ＩＤと関連付けられている。
【００８４】  被検者情報記憶部３５３Ｃは、脳波測定装置２００、２００Ａ、２００Ｂの被検者情報記憶部（脳波測定装置２００では被検者情報記憶部２７０）が記憶する被検者情報と同一の被検者の情報を記憶する。被検者情報記憶部３５３Ｃは、クラウド３１０に接続されている全ての脳波測定装置２００、２００Ａ、２００Ｂの被検者の情報のすべてを一括して記憶する。
【００８５】  個人係数制御部３５４Ｃは、個人係数管理部３５０Ｃの動作を総括的に制御する。個人係数制御部３５４Ｃは、被検者情報記憶部３５３Ｃに被検者の情報を記憶させる機能、被検者の個人係数を個人係数データベース３３０Ｃに記憶させたり個人係数データベース３３０Ｃから取り出したりする機能を有する。個人係数管理部３５０Ｃの詳細な動作は後述する。
【００８６】  通信部３５５Ｃは、被検者の情報および個人係数を脳波測定装置２００、２００Ａ、２００Ｂから受信し、また、個人係数を脳波測定装置２００、２００Ａ、２００Ｂに送信する。さらに、通信部３５５Ｃは、被検者ＩＤ管理部３９０Ｃに被検者ＩＤを送信し、変換された被検者ＩＤを受信する。被検者の情報、被検者ＩＤおよび個人係数の送受信は接続回線３２０を介して行なう。
【００８７】  図１２は、脳波測定システム３００における被検者ＩＤ管理部３９０Ｃのブロック図である。
【００８８】  ［被検者ＩＤ管理部の構成］  被検者ＩＤ管理部３９０Ｃは、被検者ＩＤデータベース３９４Ｃ、被検者ＩＤ変換部３９２Ｃ、通信部３９６Ｃを備える。
【００８９】  被検者ＩＤデータベース３９４Ｃは、被検者の固有ＩＤと被検者ＩＤとを対応付けて記憶する。例えば、被検者の固有ＩＤが「Ｃ１２３」、脳波測定装置２００で入力されたその被検者の被検者ＩＤが「Ａ１２３」、脳波測定装置２００Ａで入力されたその被検者の被検者ＩＤが「Ｂ４５６」であるときには、「Ｃ１２３」−「Ａ１２３」、「Ｃ１２３」−「Ｂ４５６」と記憶する。
【００９０】  被検者ＩＤ変換部３９２Ｃは、被検者の固有ＩＤを参照して各脳波測定装置２００、２００Ａ、２００Ｂの記憶する被検者の被検者ＩＤに変換する。
【００９１】  たとえば、脳波測定装置２００が脳波測定装置２００Ａによって登録された被検者の個人係数を探しに行く場合、固有ＩＤ「Ｃ１２３」を頼りに、被検者ＩＤデータベース３９４Ｃにアクセスし、脳波測定装置２００で入力されたその被検者の被検者ＩＤ「Ａ１２３」を脳波測定装置２００Ａで入力されたその被検者の被検者ＩＤ「Ｂ４５６」に変換する。
【００９２】  通信部３９６Ｃは、脳波測定装置２００、２００Ａ、２００Ｂから送信される被検者の被検者ＩＤを受信し、被検者ＩＤ変換部３９２Ｃで変換された被検者ＩＤを脳波測定装置２００、２００Ａ、２００Ｂに送信する。
【００９３】  次に、本実施形態にかかる脳波測定システム３００の動作を図１３から図２１のフローチャートを参照しながら説明する。なお、図１に示した脳波測定装置１００の動作と重複する動作については簡単に説明する。
【００９４】  （脳波測定システムの動作）  図１３は、本実施形態に係る脳波測定システム３００の処理を示すメインフローチャートである。このメインフローチャートは、脳波測定装置２００の脳波生成部２５０によって処理される。
【００９５】  脳波生成部２５０は、被検者情報入力部２２０から入力された被検者の情報を取得する（ステップＳ３００）。被検者の情報は、被検者ＩＤ、被検者性別、被検者年齢、被検者名、保健番号である。被検者ＩＤ、被検者名は、被検者の個人係数を検索するときに使用される。被検者年齢、被検者性別は、集団係数を検索するときに使用される。
【００９６】  脳波生成部２５０は、被検者の頭皮に装着した複数の脳波測定電極２１０から測定部位の脳波信号を取得する（ステップＳ３１０）。
【００９７】  脳波生成部２５０は、「被検者ＩＤと被検者名」を被検者情報記憶部２７０または被検者情報記憶部３５３Ｃに記憶されている「被検者ＩＤと被検者名」と照合する（ステップＳ３２０）。
【００９８】  被検者情報記憶部３５３Ｃに一致する「被検者ＩＤと被検者名」があれば照合ＯＫであるので（ステップＳ３３０：ＹＥＳ）、個人係数記憶部２３０または個人係数データベース３３０Ｃに記憶されている個人係数を検索する。
【００９９】  個人係数記憶部２３０または個人係数データベース３３０Ｃにその被検者の個人係数があれば（ステップＳ３５０：ＹＥＳ）、脳波生成部２５０は、個人係数記憶部２３０または個人係数データベース３３０Ｃからその被検者の個人係数を取得する。脳波生成部２５０は、複数の脳波測定電極２１０が取得した脳波信号を、取得した個人係数を用いて加工し、脳波、または、各脳波成分の脳波を生成する（ステップＳ３６０）。
【０１００】  各脳波成分の脳波とは、デルタ波（２〜４Ｈｚ）、シータ波（４〜８Ｈｚ）、アルファ波（８〜１３Ｈｚ）、ベータ波（１３〜３０Ｈｚ）、ガンマ波（３０Ｈｚ〜）などの自発脳波、または、視覚、聴覚、触覚などの外因性の刺激を受けたり、期待、注意、意思決定などの内因性の心的事象が生じたりすることにより発生する誘発脳波である。
【０１０１】  一方、被検者情報記憶部２７０または被検者情報記憶部３５３Ｃに一致する「被検者ＩＤと被検者名」がない場合（ステップＳ３３０：ＮＯ）、または、個人係数記憶部２３０または個人係数データベース３３０Ｃのいずれにも、その被検者の個人係数がない場合（ステップＳ３５０：ＮＯ）には、脳波生成部２５０は、集団係数記憶部２４０に記憶されている集団係数を検索する。脳波生成部２５０は、被検者の年齢と性別を見て、集団係数記憶部２４０から被検者に最適な集団係数を取得する（ステップＳ３７０）。
【０１０２】  脳波生成部２５０は、複数の脳波測定電極２１０が検出した脳波信号を、取得した集団係数を用いて加工し、脳波、または、各脳波成分の脳波を生成する（ステップＳ３８０）。
【０１０３】  脳波生成部２５０は生成した脳波を脳波表示部２６０に出力する（ステップＳ３９０））。
【０１０４】  図１４は、図１３のメインフローチャートのステップＳ３２０（被検者ＩＤ/被検者名照合）のサブルーチンフローチャートである。このサブルーチンフローチャートは脳波生成部２５０によって処理される。
【０１０５】  脳波生成部２５０は、被検者情報入力部２２０から入力された被検者の情報のうち、被検者ＩＤと被検者名を取得する（ステップＳ３２１）。
【０１０６】  脳波生成部２５０は、被検者情報記憶部２７０、３５３Ｃに記憶されている被検者ＩＤを検索する（ステップＳ３２２）。
【０１０７】  被検者情報記憶部２７０、３５３Ｃのいずれかに被検者情報入力部２２０から入力された被検者ＩＤと同一の被検者ＩＤがあれば（ステップＳ３２３：ＹＥＳ）、脳波生成部２５０は、被検者情報記憶部２７０、３５３Ｃに記憶されている被検者名を検索する（ステップＳ３２４）。
【０１０８】  被検者情報記憶部２７０、３５３Ｃのいずれかに被検者情報入力部２２０から入力された被検者名と同一の被検者名があれば（ステップＳ３２５：ＹＥＳ）、照合ＯＫの信号を出力する（ステップＳ３２６）。
【０１０９】  被検者情報記憶部２７０、３５３Ｃのいずれにも被検者情報入力部２２０から入力された被検者ＩＤと同一の被検者ＩＤがない場合（ステップＳ３２３：ＮＯ）、または、被検者情報記憶部２７０、３５３Ｃのいずれにも被検者情報入力部２２０から入力された被検者名と同一の被検者名がない場合には（ステップＳ３２５：ＮＯ）、照合ＮＧの信号を出力し、脳波生成部２５０は、脳波表示部２６０に、「個人係数を生成するため実測を行い登録してください。」とのメッセージを表示させる（ステップＳ３２７）。
【０１１０】  図１５は、図１３のメインフローチャートのステップＳ３４０（個人係数検索）のサブルーチンフローチャートである。このサブルーチンフローチャートは脳波生成部２５０によって処理される。
【０１１１】  脳波生成部２５０は、脳波測定装置２００の個人係数記憶部２３０から被検者ＩＤに合致する個人係数を検索する（ステップＳ３４１）。
【０１１２】  脳波測定装置２００に被検者の個人係数があれば（ステップＳ３４２：ＹＥＳ）、脳波生成部２５０は個人係数記憶部２３０からその個人係数を取得する（ステップＳ３４６）。
【０１１３】  一方、脳波測定装置２００の個人係数記憶部２３０に被検者の個人係数がなければ（ステップＳ３４２：ＮＯ）、脳波生成部２５０はクラウド３１０上の個人係数データベース３３０Ｃから被検者ＩＤに合致する個人係数を検索する（ステップＳ３４３）。
【０１１４】  クラウド３１０上に被検者の個人係数があれば（ステップＳ３４４：ＹＥＳ）、脳波生成部２５０は個人係数データベース３３０Ｃからその個人係数を取得する（ステップＳ３４６）。
【０１１５】  一方、クラウド３１０上の個人係数データベース３３０Ｃに被検者の個人係数がなければ（ステップＳ３４４：ＮＯ）、脳波生成部２５０は、脳波表示部２６０に、「個人係数を生成するため実測を行い登録してください。」とのメッセージを表示させる（ステップＳ３４５）。
【０１１６】  図１６は、図１３のメインフローチャートのステップＳ３７０（集団係数検索）のサブルーチンフローチャートである。このサブルーチンフローチャートは脳波生成部２５０によって処理される。
【０１１７】  脳波生成部２５０は脳波測定装置２００の集団係数記憶部２４０から被検者年齢、被検者性別に合致する集団係数を検索する。つまり、脳波測定装置２００に被検者の集団係数があるかを検索する（ステップＳ３７１）。
【０１１８】  脳波生成部２５０は脳波測定装置２００の集団係数記憶部２４０からその集団係数を取得する（ステップＳ３７２）。
【０１１９】  図１７は、被検者の個人係数を生成し、生成した個人係数を個人係数データベースに記憶させるまでの処理を示すメインフローチャートである。このメインフローチャートは脳波生成部２５０によって処理される。
【０１２０】  脳波生成部２５０は、被検者情報入力部２２０から入力された被検者の情報を取得する。被検者の情報は、被検者ＩＤ、被検者名、被検者年齢、被検者性別である。これらの被検者の情報の内、被検者ＩＤ、被検者名は、被検者の個人係数を個人係数データベースに記憶させるときに使用する（ステップＳ４００）。
【０１２１】  脳波生成部２５０は、被検者の頭皮上に取り付けた複数の脳波測定電極２１０から任意の測定部位の脳波信号を取得する（ステップＳ４１０）。脳波測定電極２１０は、図４に示した、脳波を取得したい、被検者の頭皮上の必要な全ての場所に取り付ける。具体的には、図４のような国際１０−２０法を用いて取り付ける場合、ＦＰ１、ＦＰ２、Ｆ７、Ｆ３、Ｆｚ、Ｆ４、Ｆ８、Ｔ３、Ｃ３、Ｃｚ、Ｃ４、Ｔ４、Ｐ３、Ｐｚ、Ｐ４、Ｔ５、Ｏ１、Ｏ３、Ｏｚ、Ｏ４、Ｏ２、Ｔ６の２２か所に取り付ける。また、ＨＥＥＧを用いる場合であれば、たとえば、６４か所から２００か所の間の数の脳波測定電極１１０を取り付ける。
【０１２２】  脳波生成部２５０は、これらの脳波測定電極２１０によって実測した誘導を、前述の数１に示したマトリクスに代入して被検者の個人係数（変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ））を生成する（ステップＳ４２０）。
【０１２３】  次に、脳波生成部２５０は生成した個人係数を、個人係数記憶部２３０とクラウド３１０上の個人係数データベース３３０Ｃに、被検者別、時系列に記憶させる（ステップＳ４３０）。
【０１２４】  脳波生成部２５０は、ステップＳ４００で取得した被検者の情報を、脳波測定装置２００の被検者情報記憶部２７０に記憶させ、同時に、クラウド３１０上の被検者情報記憶部３５３Ｃ（図１１参照）に記憶させる。
【０１２５】  被検者情報記憶部３５３Ｃに被検者の情報を記憶させる場合には、脳波生成部２５０が通信部２８０から接続回線３２０を介して被検者の情報を送信し、これを個人係数管理部３５０Ｃの通信部３５５Ｃを介して個人係数制御部３５４Ｃが受信する。次に、個人係数制御部３５４Ｃが受信した被検者の情報を被検者情報記憶部３５３Ｃに記憶させる（ステップＳ４４０）。
【０１２６】  脳波生成部２５０は、ステップＳ４００で取得した被検者の情報のうちの被検者ＩＤを被検者ＩＤ管理部３９０Ｃの被検者ＩＤデータベース３９４Ｃに記憶させる。被検者ＩＤデータベース３９４Ｃに被検者ＩＤを記憶させる場合には、脳波生成部２５０が通信部２８０から接続回線３２０を介して被検者ＩＤを送信し、これを被検者ＩＤ管理部３９０Ｃの通信部３９６Ｃを介して被検者ＩＤ変換部３９２Ｃが受信する。次に、被検者ＩＤ変換部３９２Ｃが受信した被検者ＩＤを被検者ＩＤデータベース３９４Ｃに記憶させる（ステップＳ４５０）。
【０１２７】  図１８は、図１７のメインフローチャートのステップＳ４２０（個人係数を生成）の処理を示すサブルーチンフローチャートである。
【０１２８】  脳波生成部２５０は、被検者に装着した脳波測定電極２１０で実測した脳波信号を、前述の数１のマトリクス、測定誘導ベクトルＡ（ａ１、ａ２、ａ３、…、ａｎ）、生成誘導ベクトルＣ（ｃ１、ｃ２、ｃ３、…、ｃｎ）に代入する（ステップＳ４２１）。
【０１２９】  脳波生成部２５０は変換係数Ｂの値を算出する。具体的には、Ａ・Ｂ＝Ｃの連立方程式を作成し、この連立方程式を解いて、変換係数Ｂ（ｂ１１、ｂ１２、…、ｂ１ｎ、ｂ２１、ｂ２２、…、ｂ２ｎ、…、ｂｎ１、ｂｎ２、…、ｂｎｎ）を算出する（ステップ４２２）。個人係数は、脳波または脳波成分ごとに算出される。
【０１３０】  最後に、脳波生成部２５０は、求めた変換係数に被検者の情報を付加して個人係数を求める（ステップＳ４２３）。具体的には、付加する被検者の情報は被検者ＩＤである。上記の場合、被検者の固有ＩＤ「Ｃ１２３」と被検者の被検者ＩＤ「Ａ１２３」である。
【０１３１】  図１９は、図１７のメインフローチャートのステップＳ４３０（生成した個人係数をデータベースに登録）の処理を示すサブルーチンフローチャートである。このフローチャートは脳波生成部２５０と個人係数管理部３５０Ｃとによって処理される。
【０１３２】  まず、脳波生成部２５０は、生成した個人係数を個人係数記憶部２３０に登録する。
【０１３３】  次に、個人係数管理部３５０Ｃは、脳波生成部２５０から送られてきた個人係数を個人係数データベース３３０Ｃに記憶する。これらのステップの詳細な処理は図２０および図２１のサブルーチンフローチャートに示す。
【０１３４】  図２０は、図１９のサブルーチンフローチャートのステップＳ５００（脳波測定装置の個人係数記憶部に記憶）の処理を示すサブルーチンフローチャートである。このフローチャートは脳波生成部２５０によって処理される。
【０１３５】  まず、脳波生成部２５０は、被検者情報入力部２２０から入力された被検者の情報を取得する（ステップＳ５０１）。被検者の情報は、被検者ＩＤ、被検者名、被検者年齢、被検者性別である。
【０１３６】  脳波生成部２５０は、被検者ＩＤを被検者情報記憶部２７０、３５３Ｃに記憶されている被検者ＩＤと照合する（ステップＳ５０２）。
【０１３７】  被検者情報記憶部２７０、３５３Ｃに一致する被検者ＩＤがあれば照合ＯＫであるので（ステップＳ５０３：ＹＥＳ）、脳波生成部２５０は、個人係数記憶部２３０に被検者の個人係数を追加記憶する。つまり、同一の被検者が個人係数を既に持っている場合には、新たに生成された個人係数が時系列に追加記憶されることになる。個人係数を時系列に更新することによって、いつも被検者の最適な係数を選ぶことができ、高精度な脳波が生成できる（ステップＳ５０４）。
【０１３８】  一方、被検者情報記憶部２７０、３５３Ｃに一致する被検者ＩＤがなく照合ＮＧとなったときには（ステップＳ５０３：ＮＯ）、被検者の個人係数が個人係数記憶部２３０にはないので、脳波生成部２５０は、個人係数記憶部２３０に個人係数を新規記憶する（ステップＳ５０５）。
【０１３９】  図２１は、図１９のサブルーチンフローチャートのステップＳ５１０（心電図管理システムの個人係数データベースに記憶）の処理を示すサブルーチンフローチャートである。このフローチャートは個人係数制御部３５４Ｃによって処理される。
【０１４０】  まず、クラウド３１０上の個人係数制御部３５４Ｃは、脳波測定装置２００から被検者の情報を取得する。被検者の情報は、被検者ＩＤ、被検者名、被検者年齢、被検者性別である（ステップＳ５１１）。
【０１４１】  個人係数制御部３５４Ｃは、被検者ＩＤを被検者情報記憶部３５３Ｃに記憶されている被検者ＩＤと照合する（ステップＳ５１２）。
【０１４２】  被検者情報記憶部３５３Ｃに一致する被検者ＩＤがあれば照合ＯＫであるので（ステップＳ５１３：ＹＥＳ）、個人係数制御部３５４Ｃは、個人係数データベース３３０Ｃに被検者の個人係数を追加記憶する。つまり、同一の被検者が個人係数を既に持っている場合には、新たに生成された個人係数が時系列に追加記憶されることになる。
【０１４３】  一方、被検者情報記憶部３５３Ｃに一致する被検者ＩＤがなく照合ＮＧとなったときには（ステップＳ５１３：ＮＯ）、被検者の個人係数が個人係数データベース３３０Ｃにないので、個人係数管理部３５０Ｃは、個人係数データベース３３０Ｃに個人係数を新規記憶する（ステップＳ５１５）。
【０１４４】  以上のように、本実施形態に係る脳波測定システムによれば、個人係数および集団係数を用いて被検者の脳波を生成するので、被検者に実際に脳波測定電極１１０を取り付けた場所の脳波から実際には脳波測定電極１１０が取り付けられていない場所の脳波を高精度に生成することができる。
【０１４５】  このため、本実施形態に係る脳波測定システムによれば、より少ない電極で高分解能の脳波を測定できるようになり、ＢＣＩの実用化に大きく寄与することができる。
【０１４６】  なお、本実施形態では、個人係数を、被検者別に時系列に記憶させる場合を例示したが、脳波測定装置の記憶容量が少ない場合には、時系列ではなく、最新の個人係数のみを更新記憶させるようにしても良い。また、本実施形態では、特定の被検者の個人係数が存在する場合には、その個人係数が例えば２、３年前であっても使用することができるようになっている。しかし、被検者の脳波を高精度で生成できるようにするためには、なるべく近い時期に取得した個人係数を用いて脳波を生成することが望ましい。したがって、個人係数の使用可能期限（例えば取得から１年間）を設け、その使用期限が過ぎている場合には、個人係数が存在しないときと同様に、個人係数の取得を促し、図１７のフローチャートに示したような処理を行なわせるようにしても良い。
【０１４７】  なお、本発明は上記の実施形態に限定されるものではない。本発明の技術的範囲には、上記の一実施例の他、その技術の分野にける通常の知識を有する者が改変することができる他の実施形態も包含する。
【符号の説明】
【０１４８】  １００、２００、２００Ａ、２００Ｂ  脳波測定装置、  １１０、２１０  脳波測定電極、  １２０、２２０  被検者情報入力部、  １３０、２３０  個人係数記憶部、  １４０、２４０  集団係数記憶部、  １５０、２５０  脳波生成部、  １６０  脳波出力部、  ２６０  脳波表示部、  ２７０、３５３Ｃ  被検者情報記憶部、  ２８０、５５Ｃ、３９６Ｃ  通信部、  ３１０  クラウド、  ３２０  接続回線、  ３３０Ｃ  個人係数データベース、  ３５０Ｃ  個人係数管理部、  ３５４Ｃ  個人係数制御部、  ３９０Ｃ  被検者ＩＤ管理部、  ３９２Ｃ  被検者ＩＤ変換部、  ３９４Ｃ  被検者ＩＤデータベース。
【図１】
2016063370.tif 000004
【図２】
2016063370.tif 000005
【図３】
2016063370.tif 000006
【図４】
2016063370.tif 000007
【図５】
2016063370.tif 000008
【図６】
2016063370.tif 000009
【図７】
2016063370.tif 000010
【図８】
2016063370.tif 000011
【図９】
2016063370.tif 000012
【図１０】
2016063370.tif 000013
【図１１】
2016063370.tif 000014
【図１２】
2016063370.tif 000015
【図１３】
2016063370.tif 000016
【図１４】
2016063370.tif 000017
【図１５】
2016063370.tif 000018
【図１６】
2016063370.tif 000019
【図１７】
2016063370.tif 000020
【図１８】
2016063370.tif 000021
【図１９】
2016063370.tif 000022
【図２０】
2016063370.tif 000023
【図２１】
2016063370.tif 000024
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
被検者の脳波信号を取得するために前記被検者の頭皮上に取り付ける複数の電極と、
前記複数の電極から取得された脳波信号を用いて前記電極が取り付けられている場所の脳波および前記電極が取り付けられていない場所の脳波を生成する脳波生成部と、を有し、さらに、
前記被検者の脳波を生成するため、前記被検者から取得した脳波信号より生成した個人固有の係数である個人係数を記憶する個人係数記憶部を有し、
前記脳波生成部は、
前記電極が取り付けられていない場所の脳波を、前記複数の電極から取得された脳波信号と前記個人係数とを用いて生成することを特徴とする脳波測定装置。
【請求項２】
（削除）
【請求項３】
被検者の脳波信号を取得するために前記被検者の頭皮上に取り付ける複数の電極と、
前記複数の電極から取得された脳波信号を用いて前記電極が取り付けられている場所の脳波および前記電極が取り付けられていない場所の脳波を生成する脳波生成部と、を有し、さらに、
前記被検者の脳波を生成するため、統計的に有効な母集団の不特定多数の人から取得した複数の変換係数を統計的に処理した係数である集団係数を記憶する集団係数記憶部を有し、
前記脳波生成部は、
前記電極が取り付けられていない場所の脳波を、前記複数の電極から取得された脳波信号と前記集団係数とを用いて生成することを特徴とする脳波測定装置。
【請求項４】
被検者の脳波信号を取得するために前記被検者の頭皮上に取り付ける複数の電極と、
前記複数の電極から取得された脳波信号を用いて前記電極が取り付けられている場所の脳波および前記電極が取り付けられていない場所の脳波を生成する脳波生成部と、を有し、さらに、
前記被検者の情報を入力する被検者情報入力部と、
前記被検者の脳波を生成するため、統計的に有効な母集団の不特定多数の人から取得した係数である集団係数を記憶する集団係数記憶部と、
前記被検者の脳波を生成するため、前記被検者から取得した脳波信号より生成した個人固有の係数である個人係数を記憶する個人係数記憶部と、を有し、
前記脳波生成部は、
前記個人係数記憶部に前記被検者情報入力部から入力された前記被検者の情報に合致する個人係数があるときには、前記電極が取り付けられていない場所の脳波を、前記複数の電極から取得された脳波信号と前記個人係数とを用いて生成する一方、前記個人係数記憶部に前記被検者情報入力部から入力された前記被検者の情報に合致する個人係数がないときには、前記電極が取り付けられていない場所の脳波を、前記複数の電極から取得された脳波信号と前記集団係数とを用いて生成することを特徴とする脳波測定装置。
【請求項５】
前記脳波生成部は、
前記脳波を、特定の脳波成分に対して生成することを特徴とする請求項１、３、４のいずれかに記載の脳波測定装置。
【請求項６】
前記個人係数は、
前記特定の脳波成分ごとに設けられることを特徴とする請求項１または４に記載の脳波測定装置。
【請求項７】
前記集団係数は、
前記特定の脳波成分ごとに設けられることを特徴とする請求項３または４に記載の脳波測定装置。
【請求項８】
複数の電極を被検者の頭皮上に取り付ける段階と、
前記複数の電極から前記被検者の脳波信号を取得する段階と、
前記複数の電極から取得された脳波信号を用いて前記電極が取り付けられている場所および前記電極が取り付けられていない場所の脳波を生成する段階と、を含み、
前記脳波を生成する段階は、
前記電極が取り付けられていない場所の脳波を、前記複数の電極から取得された脳波信号と、前記被検者の脳波を生成するため前記被検者から取得した脳波信号より生成した個人固有の係数である個人係数と、を用いて生成することを特徴とする脳波測定方法。
【請求項９】
（削除）
【請求項１０】
複数の電極を被検者の頭皮上に取り付ける段階と、
前記複数の電極から前記被検者の脳波信号を取得する段階と、
前記複数の電極から取得された脳波信号を用いて前記電極が取り付けられている場所および前記電極が取り付けられていない場所の脳波を生成する段階と、を含み、
前記脳波を生成する段階は、
前記電極が取り付けられていない場所の脳波を、前記複数の電極から取得された脳波信号と、前記被検者の脳波を生成するため統計的に有効な母集団の不特定多数の人から取得した係数である集団係数と、を用いて生成することを特徴とする脳波測定方法。
【請求項１１】
複数の電極を被検者の頭皮上に取り付けて前記被検者の情報を入力する段階と、
前記複数の電極から前記被検者の脳波信号を取得する段階と、
前記複数の電極から取得された脳波信号を用いて前記電極が取り付けられている場所および前記電極が取り付けられていない場所の脳波を生成する段階と、を有し、
前記脳波を生成する段階は、
入力された前記被検者の情報に合致する個人係数があるときには、前記電極が取り付けられていない場所の脳波を、前記複数の電極から取得された脳波信号と前記被検者の脳波を生成するため前記被検者から取得した脳波信号より生成した前記個人係数とを用いて生成する一方、入力された前記被検者の情報に合致する個人係数がないときには、前記電極が取り付けられていない場所の脳波を、前記複数の電極から取得された脳波信号と前記被検者の脳波を生成するため統計的に有効な母集団の不特定多数の人から取得した係数である集団係数とを用いて生成することを特徴とする脳波測定方法。
【請求項１２】
前記脳波を生成する段階は、
前記脳波を、特定の脳波成分に対して生成することを特徴とする請求項８、１０、１１のいずれかに記載の脳波測定装置。
【請求項１３】
前記個人係数は、
前記特定の脳波成分ごとに設けられることを特徴とする請求項８または１１に記載の脳波測定装置。
【請求項１４】
前記集団係数は、
前記特定の脳波成分ごとに設けられることを特徴とする請求項１０または１１に記載の脳波測定装置。
【請求項１５】
請求項４から７のいずれかに記載の脳波測定装置が接続回線を介して複数台相互に接続された脳波測定システムであって、
被検者の個人係数を記憶する個人係数データベースが前記接続回線に接続されたクラウド上に設けられ、
各脳波測定装置の脳波生成部は、
前記脳波測定装置内の個人係数記憶部または前記クラウド上の前記個人係数データベースに被検者情報入力部から入力された前記被検者の情報に合致する個人係数があるときには、電極が取り付けられていない場所の脳波を、複数の電極から取得された脳波信号と前記個人係数記憶部または前記個人係数データベースに記憶されている前記個人係数とを用いて生成する一方、前記被検者の情報に合致する個人係数がないときには、前記電極が取り付けられていない場所の脳波を、前記複数の電極から取得された脳波信号と前記脳波測定装置内の集団係数記憶部に記憶されている前記集団係数とを用いて生成することを特徴とする脳波測定システム。
【請求項１６】
前記クラウド上に、前記個人係数データベースの個人係数を管理する個人係数管理部と、前記被検者の情報を管理する被検者ＩＤ管理部とをさらに設け、
前記個人係数管理部は、前記被検者の個人係数に関連付けられている固有ＩＤを用いて、前記個人係数データベースに個人係数を記憶させたり、前記個人係数データベースから個人係数を取り出したりでき、
前記被検者ＩＤ管理部は、前記固有ＩＤと前記被検者に対して付した被検者ＩＤとの対照表を有し、
各脳波測定装置は、前記被検者の個人情報をクラウド上で検索する際に、前記被検者ＩＤ管理部の対照表を用いて前記被検者の固有ＩＤを検索し、検索された固有ＩＤを用いて前記個人係数管理部から前記被検者の個人係数を取り出すことを特徴とする請求項１５に記載の脳波測定システム。
【請求項１７】
前記被検者ＩＤ管理部は、被検者ＩＤと固有ＩＤとの関係を示す対照表を有し、
各脳波測定装置は、被検者ＩＤから前記被検者の固有ＩＤを検索し、検索された固有ＩＤを用いて前記個人係数管理部から前記被検者の個人係数を取り出すことを特徴とする請求項１６に記載の脳波測定システム。
【請求項１８】
前記脳波生成部は、
前記脳波を、特定の脳波成分に対して生成することを特徴とする請求項１５に記載の脳波測定装置。
【請求項１９】
前記個人係数は、
前記特定の脳波成分ごとに設けられることを特徴とする請求項１８に記載の脳波測定装置。
【請求項２０】
前記集団係数は、
前記特定の脳波成分ごとに設けられることを特徴とする請求項１８に記載の脳波測定装置。
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
被検者の脳波信号を取得するために前記被検者の頭皮上に取り付ける複数の電極と、
前記複数の電極から取得された脳波信号を用いて前記電極が取り付けられている場所の脳波および前記電極が取り付けられていない場所の脳波を生成する脳波生成部と、
を有し、さらに、
前記被検者の脳波を生成するため、前記被検者から取得した脳波信号より生成した個人固有の係数である個人係数を記憶する個人係数記憶部を有し、
前記脳波生成部は、
前記電極が取り付けられていない場所の脳波を、前記複数の電極から取得された脳波信号と前記個人係数とを用いて生成することを特徴とする脳波測定装置。
【請求項２】
被検者の脳波信号を取得するために前記被検者の頭皮上に取り付ける複数の電極と、
前記複数の電極から取得された脳波信号を用いて前記電極が取り付けられている場所の脳波および前記電極が取り付けられていない場所の脳波を生成する脳波生成部と、
を有し、さらに、
前記被検者の脳波を生成するため、統計的に有効な母集団の不特定多数の人から取得した複数の変換係数を統計的に処理した係数である集団係数を記憶する集団係数記憶部を有し、
前記脳波生成部は、
前記電極が取り付けられていない場所の脳波を、前記複数の電極から取得された脳波信号と前記集団係数とを用いて生成することを特徴とする脳波測定装置。
【請求項３】
被検者の脳波信号を取得するために前記被検者の頭皮上に取り付ける複数の電極と、
前記複数の電極から取得された脳波信号を用いて前記電極が取り付けられている場所の脳波および前記電極が取り付けられていない場所の脳波を生成する脳波生成部と、
を有し、さらに、
前記被検者の情報を入力する被検者情報入力部と、
前記被検者の脳波を生成するため、統計的に有効な母集団の不特定多数の人から取得した複数の変換係数を統計的に処理した係数である集団係数を記憶する集団係数記憶部と、
前記被検者の脳波を生成するため、前記被検者から取得した脳波信号より生成した個人固有の係数である個人係数を記憶する個人係数記憶部と、を有し、
前記脳波生成部は、
前記個人係数記憶部に前記被検者情報入力部から入力された前記被検者の情報に合致する個人係数があるときには、前記電極が取り付けられていない場所の脳波を、前記複数の電極から取得された脳波信号と前記個人係数とを用いて生成する一方、前記個人係数記憶部に前記被検者情報入力部から入力された前記被検者の情報に合致する個人係数がないときには、前記電極が取り付けられていない場所の脳波を、前記複数の電極から取得された脳波信号と前記集団係数とを用いて生成することを特徴とする脳波測定装置。
【請求項４】
前記脳波生成部は、
前記脳波を、特定の脳波成分に対して生成することを特徴とする請求項１から３のいずれかに記載の脳波測定装置。
【請求項５】
前記個人係数は、
特定の脳波成分ごとに設けられることを特徴とする請求項１または３に記載の脳波測定装置。
【請求項６】
前記集団係数は、
特定の脳波成分ごとに設けられることを特徴とする請求項２または３に記載の脳波測定装置。
【請求項７】
複数の電極を被検者の頭皮上に取り付ける段階と、
前記複数の電極から前記被検者の脳波信号を取得する段階と、
前記複数の電極から取得された脳波信号を用いて前記電極が取り付けられている場所および前記電極が取り付けられていない場所の脳波を生成する段階と、を含み、
前記脳波を生成する段階は、
前記電極が取り付けられていない場所の脳波を、前記複数の電極から取得された脳波信号と、前記被検者の脳波を生成するため前記被検者から取得した脳波信号より生成した個人固有の係数である個人係数と、を用いて生成することを特徴とする脳波測定方法。
【請求項８】
複数の電極を被検者の頭皮上に取り付ける段階と、
前記複数の電極から前記被検者の脳波信号を取得する段階と、
前記複数の電極から取得された脳波信号を用いて前記電極が取り付けられている場所および前記電極が取り付けられていない場所の脳波を生成する段階と、を含み、
前記脳波を生成する段階は、
前記電極が取り付けられていない場所の脳波を、前記複数の電極から取得された脳波信号と、前記被検者の脳波を生成するため統計的に有効な母集団の不特定多数の人から取得した複数の変換係数を統計的に処理した係数である集団係数と、を用いて生成することを特徴とする脳波測定方法。
【請求項９】
複数の電極を被検者の頭皮上に取り付けて前記被検者の情報を入力する段階と、
前記複数の電極から前記被検者の脳波信号を取得する段階と、
前記複数の電極から取得された脳波信号を用いて前記電極が取り付けられている場所および前記電極が取り付けられていない場所の脳波を生成する段階と、を有し、
前記脳波を生成する段階は、
入力された前記被検者の情報に合致する個人係数があるときには、前記電極が取り付けられていない場所の脳波を、前記複数の電極から取得された脳波信号と前記被検者の脳波を生成するため前記被検者から取得した脳波信号より生成した個人固有の係数である個人係数とを用いて生成する一方、入力された前記被検者の情報に合致する個人係数がないときには、前記電極が取り付けられていない場所の脳波を、前記複数の電極から取得された脳波信号と前記被検者の脳波を生成するため統計的に有効な母集団の不特定多数の人から取得した複数の変換係数を統計的に処理した係数である集団係数とを用いて生成することを特徴とする脳波測定方法。
【請求項１０】
前記脳波を生成する段階は、
前記脳波を、特定の脳波成分に対して生成することを特徴とする請求項７から９のいずれかに記載の脳波測定方法。
【請求項１１】
前記個人係数は、
特定の脳波成分ごとに設けられることを特徴とする請求項７または９に記載の脳波測定方法。
【請求項１２】
前記集団係数は、
特定の脳波成分ごとに設けられることを特徴とする請求項８または９に記載の脳波測定方法。
【請求項１３】
請求項３に記載の脳波測定装置が接続回線を介して複数台相互に接続された脳波測定システムであって、
前記被検者の個人係数を記憶する個人係数データベースが前記接続回線に接続されたクラウド上に設けられ、
各脳波測定装置の前記脳波生成部は、
前記脳波測定装置内の個人係数記憶部または前記クラウド上の前記個人係数データベースに被検者情報入力部から入力された前記被検者の情報に合致する個人係数があるときには、前記電極が取り付けられていない場所の脳波を、前記複数の電極から取得された脳波信号と前記個人係数記憶部または前記個人係数データベースに記憶されている前記個人係数とを用いて生成する一方、前記被検者の情報に合致する個人係数がないときには、前記電極が取り付けられていない場所の脳波を、前記複数の電極から取得された脳波信号と前記脳波測定装置内の集団係数記憶部に記憶されている集団係数とを用いて生成することを特徴とする脳波測定システム。
【請求項１４】
前記クラウド上に、前記個人係数データベースの個人係数を管理する個人係数管理部と、前記被検者の情報を管理する被検者ＩＤ管理部とをさらに設け、
前記個人係数管理部は、前記被検者の個人係数に関連付けられている固有ＩＤを用いて、前記個人係数データベースに個人係数を記憶させたり、前記個人係数データベースから個人係数を取り出したりでき、
前記被検者ＩＤ管理部は、前記固有ＩＤと前記被検者に対して付した被検者ＩＤとの対照表を有し、
各脳波測定装置は、前記被検者の個人情報をクラウド上で検索する際に、前記被検者ＩＤ管理部の対照表を用いて前記被検者の固有ＩＤを検索し、検索された固有ＩＤを用いて前記個人係数管理部から前記被検者の個人係数を取り出すことを特徴とする請求項１３に記載の脳波測定システム。
【請求項１５】
前記被検者ＩＤ管理部は、前記被検者ＩＤと前記固有ＩＤとの関係を示す対照表を有し、
各脳波測定装置は、前記被検者ＩＤから前記被検者の固有ＩＤを検索し、検索された固有ＩＤを用いて前記個人係数管理部から前記被検者の個人係数を取り出すことを特徴とする請求項１４に記載の脳波測定システム。
【請求項１６】
前記脳波生成部は、
前記脳波を、特定の脳波成分に対して生成することを特徴とする請求項１３に記載の脳波測定システム。
【請求項１７】
前記個人係数は、
前記特定の脳波成分ごとに設けられることを特徴とする請求項１６に記載の脳波測定システム。
【請求項１８】
前記集団係数は、
前記特定の脳波成分ごとに設けられることを特徴とする請求項１６に記載の脳波測定システム。
【国際調査報告】
2016063370.tif 000025
2016063370.tif 000026